(57)【要約】【課題】簡単な構造でコンパクトであり、医薬品と嚥下補助飲料等の付属物を一体に包装することができる包装体を提供する。【解決手段】医薬品等の収容物を内側に収容した突出部５０ａと、突出部５０ａの周囲に設けられたフランジ部５０ｂとを有するＰＴＰシート４８を取り付ける台紙１２を備える。台紙１２には、ＰＴＰシート４８に取り付けられる側面１４，１６と、側面１４，１６に折罫線３０，３６で区切られて連続し、側面１４，１６に折り返す覆い片３４を備える。覆い片３４には、嚥下補助飲料５４等の付属物を収容する保持片４０を有する。覆い片３４と側面１４，１６との間には、突出部５０ａの高さより少し大きい幅を有する厚み形成片２８を有する。【選択図】図１
2018002172.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙からなり、前記台紙には、前記ＰＴＰシートが取り付けられる側面と、前記側面に折罫線で区切られて連続し前記側面に折り返す覆い片が設けられ、前記覆い片には、付属物を収容する保持片が設けられていることを特徴とする包装体。
【請求項２】
前記覆い片は、前記側面に前記ＰＴＰシートの前記突出部を挟んで折り返され、前記覆い片と前記側面との間には、前記突出部の高さより少し大きい幅を有する厚み形成片が設けられている請求項１記載の包装体。
【請求項３】
前記覆い片には、前記側面に係止される係止片が設けられている。
【請求項４】
前記保持片は、前記覆い片の一対の側縁部に折罫線で区切られて一対が設けられ、前記覆い片に前記折罫線で折り返され、前記保持片には各々ポケット用切込線が設けられ、前記付属物は、前記ポケット用切込線に端部が２か所差し込まれて収容される請求項１記載の包装体。
【請求項５】
前記側面は、前記ＰＴＰシートを挟んだ状態で重ねて保持する第１側面と第２側面が設けられ、前記第１側面と前記第２側面には、互いに重ねられた時に前記ＰＴＰシートの前記突出部の開口部に対向する透孔が互いに一致して各々設けられ、前記第１側面の前記透孔には前記ＰＴＰシートの前記突出部が嵌合されて突出し、前記第２側面の前記透孔は前記ＰＴＰシートに収容された収容物が通過して取り出されるものであり、前記覆い片は、前記第１側面または前記第２側面に設けられている請求項１記載の包装体。
【発明の詳細な説明】
【技術分野】
【０００１】
この発明は、ＰＴＰ（プレススルーパッケージ）シートに台紙を取り付け、ＰＴＰシートと、ＰＴＰシートに収容された錠剤を服用する時に必要な嚥下補助飲料等の付属物を包装する包装体に関する。
【背景技術】
【０００２】
従来、錠剤、粉末剤、カプセル剤などの経口投与される医薬品は、水等の嚥下補助飲料と一緒に服用されている。しかし、外出先で嚥下補助飲料が無い時に、服用することができず不便である。近年は、コンビニエンスストアなどの一般小売店で医薬品が販売され、特に、緊急対応の場合、外出先で必要な場合に対応する１回分〜数回分の小容量の医薬品が販売されている。特許文献１には、小容量の医薬品を服用する時に必要な量の水を得ることができるものとして、少容量の医薬品と服用するための水を一体とした、医薬品と水とのセット包装体が開示されている。
【先行技術文献】
【特許文献】
【０００３】
【特許文献１】特開２００８−２４５９８２号公報
【発明の概要】
【発明が解決しようとする課題】
【０００４】
上記背景技術の場合、医薬品を収容した医薬品包装体を、水が入れられたボトルに取り付けるものであり、医薬品と水を、１個の包装体でコンパクトに包装するものではない。特許文献１の実施形態５には、水をパウチ等に密封して、医薬品包装体とともに１個の包装用箱に収容することが開示されているが、２重に包装され、かさばるものである。
【０００５】
この発明は、上記背景技術の問題点に鑑みてなされたものであり、簡単な構造でコンパクトであり、医薬品等とその付属物を一体に包装することができる包装体を提供することを目的とする。
【課題を解決するための手段】
【０００６】
本発明は、医薬品等の収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙からなり、前記台紙には、前記ＰＴＰシートが取り付けられる側面と、前記側面に折罫線で区切られて連続し前記側面に折り返す覆い片が設けられ、前記覆い片には、嚥下補助飲料等の付属物を収容する保持片が設けられている包装体である。
【０００７】
また、前記覆い片は、前記側面に前記ＰＴＰシートの前記突出部を挟んで折り返され、前記覆い片と前記側面との間には、前記突出部の高さより少し大きい幅を有する厚み形成片が設けられている。
【０００８】
前記覆い片には、前記側面に係止される係止片が設けられている。
【０００９】
前記保持片は、前記覆い片の一対の側縁部に折罫線で区切られて一対が設けられ、前記覆い片に前記折罫線で折り返されるものである。前記保持片には各々ポケット用切込線が設けられ、前記付属物である嚥下補助飲料等は平坦な容器に入れられて、前記ポケット用切込線に端部が２か所差し込まれて収容される。
【００１０】
また、前記側面は、前記ＰＴＰシートを挟んだ状態で重ねて保持する第１側面と第２側面が設けられ、前記第１側面と前記第２側面には、互いに重ねられた時に前記ＰＴＰシートの前記突出部の開口部に対向する透孔が互いに一致して各々設けられ、前記第１側面の前記透孔には前記ＰＴＰシートの前記突出部が嵌合されて突出し、前記第２側面の前記透孔は前記ＰＴＰシートに収容された収容物が通過して取り出されるものであり、前記覆い片は、前記第１側面または前記第２側面に設けられている。
【発明の効果】
【００１１】
本発明の包装体は、簡単な構造でコンパクトであり、医薬品等と嚥下補助飲料等の付属物を一体に包装することができる。外出先でも嚥下補助飲料等の付属物を、ＰＴＰシートに収容された医薬品等とともに使用することができ、好都合である。
【図面の簡単な説明】
【００１２】
【図１】この発明の一実施形態の包装体の覆い片を開いた状態を示す斜視図である。
【図２】この実施形態の包装体の斜視図である。
【図３】この実施形態の包装体の展開図である。
【発明を実施するための形態】
【００１３】
以下、この発明の実施形態について図面に基づいて説明する。図１〜図３はこの発明の一実施形態を示すもので、この実施形態の包装体１０は、紙製等の一枚のブランクシートを打ち抜いて形成された台紙１２が設けられている。図３は、台紙１２を表面から見た展開図である。台紙１２は、第１側面１４と第２側面１６が、折罫線１８を介して設けられている。第１側面１４と第２側面１６はほぼ同形状であり、折罫線１８に交差する方向が少し短い矩形である。
【００１４】
第１側面１４には、後述するＰＴＰシート４８のプラスチック成形体５０の突出部５０ａに対向する円形の透孔２０が設けられている。透孔２０は正円であり、５個ずつ並べられた列が２列、互いに平行に形成され、合計１０個の透孔２０が設けられている。１０個の透孔２０は、第１側面１４の中心よりも、折罫線１８に交差する一方の側縁部１４ａに少し近い位置に設けられている。透孔２０と折罫線１８の間には、短い切断線２２が設けられている。切断線２２は、折罫線１８に沿って設けられ、中心部が折罫線１８から離れるように僅かに湾曲されている。切断線２２の、両端部と中心の３箇所には、折罫線１８と反対側へ延出する短い切断線が連続して交差して設けられている。第１側面１４の、折罫線１８と反対側の側縁部１４ｂには、外側に突出する小さい突起２４が２個設けられている。
【００１５】
第２側面１６には、折罫線１８で第１側面１４に折り重ねた時に透孔２０に対向する位置に、透孔２６が設けられている。透孔２６は透孔２０と同じ大きさの正円であり、５個に並べられた列が２列、合計１０個の透孔２６が設けられている。１０個の透孔は、第１側面１４の側縁部１４ａに連続する側縁部１６ａに近い位置に設けられている。
【００１６】
第２側面１６の折罫線１８と反対側の側縁部には、厚み形成片２８が折罫線３０で区切られて設けられている。厚み形成片２８は、折罫線３０で第２側面１６に対して直角に折り曲げられるものであり、後述するＰＴＰシート４８の突出部５０ａの高さより少し大きい幅に形成されている。折罫線３０の途中の２か所には、コの字形の切断線３２が設けられている。切断線３２は、コの字形の中心の直線部分は折罫線３０に対して平行で厚み形成片２８に位置し、中心の直線部分の両側にある短い直線部分は折罫線３０に対して直角に交差し、開口部は第２側面１６に位置している。切断線３２の内側部分は、折罫線３０を折り曲げた時に第２側面１６と面一に折罫線３０よりも外側に突出し、切断線３２の内側が開口する。
【００１７】
厚み形成片２８の、折罫線３０と反対側の側縁部には、第２側面１６に、厚み形成片２８の幅を離間して重ねられる覆い片３４が折罫線３６で区切られて設けられている。覆い片３４は、厚み形成片２８との連接方向に交差する長さは第２側面１６とほぼ同じであり、連接方向の長さは第２側面１６より少し小さい矩形である。覆い片３４の、折罫線３６と反対側の側縁部３４ａの中心には、係止片３８が設けられている。係止片３８は、側縁部３４ａから外側に突出する矩形の突起であり、係止片３８の突出方向の長さは、台紙１２の後述する第１側面１４と第２側面１６が折り畳まれた状態で、覆い片３４を第１側面１４に重ねられた時に、折罫線１８の近傍に達するものである。なお、係止片３８は第１側面１４の切断線２２に差し込まれて係止されるものであり、係止片３８の突出方向に交差する幅は、切断線２２の長手方向の長さよりも少し短く、差し込み可能なものである。
【００１８】
覆い片３４の、側縁部３４ａに交差する一対の側縁部には、互いに同形状の保持片４０が折罫線４２で区切られて各々設けられている。保持片４０は、覆い片３４に重ねてポケットとなるものであり、折罫線４２に対して平行な長さが覆い片３４よりも少し短く、折罫線４２に対して直角な長さが覆い片３４の半分以下の長さの矩形であり、折罫線４２と反対側の側縁部の両端部分は直線で面取りされている。保持片４０には、後述する嚥下補助飲料５４の一部が差し込まれるポケット用切込線４４が設けられている。ポケット用切込線４４の形状は、折罫線４２に向かって凸形となる形状で、中心は折罫線４２の近傍で折罫線４２に対して平行な直線であり、中心の両端部は折罫線４２から離れる方向に直角に折り曲げられて延出し、さらに直角に折り曲げられて折罫線４２対して平行に互いに離れる方向に延出し、その先端部は折罫線４２側に折り返すように湾曲する曲線となっている。なお、各折罫線には、折りやすくするために破断線が設けられていてもよい。
【００１９】
次に、包装体１０の包装方法について説明する。包装体１０は、収容物である錠剤４６が入れられたＰＴＰシート４８に取り付けて包装するものである。ここで、ＰＴＰシート４８について説明する。ＰＴＰシート４８は、プラスチック成形体５０が設けられ、プラスチック成形体５０には、収容物である錠剤４６を収容する突出部５０ａと、突出部５０ａの周縁部のフランジ部５０ｂが設けられている。突出部５０ａは、５個に並べられた列が２列、合計１０個設けられている。プラスチック成形体５０のフランジ部５０ｂには、突出部５０ａの突出方向と反対の面に薄いアルミ製の蓋材シート５２が貼り付けられ、突出部５０ａが閉鎖されている。
【００２０】
次に、包装体１０の組立方法について説明する。ここでは図３が台紙１２の表面を見たものであり、表面が凸になる折り方を正折り、そして裏面が凸になる折り方を逆折りと称する。まず、第１側面１４の裏面に糊５６を塗布する。そして、折罫線１８を正折りし、第１側面１４の裏面と第２側面１６の裏面を糊付けする。次に、第１側面１４を第２側面１６に対して側縁部１４ｂ側から開くようにして、ＰＴＰシート４８を挿入し、突出部５０ａを透孔２０に嵌合させ、第１側面１４の突起２４を、切断線３２で形成された開口に差し込む。これにより台紙１２はＰＴＰシート４８を保持した状態となる。なお、ＰＴＰシート４８の、プラスチック成形体５０の突出部５０ａの裏面には、第２側面１６の透孔２６が一致する。
【００２１】
次に、一対の保持片４０を折罫線４２で正折りして覆い片３４の裏面に重ね、図１に示すように、一対のポケット用切込線４４に、嚥下補助飲料５４を取り付ける。嚥下補助飲料５４は、水や服薬用ゼリーであり、パウチに密閉されている。パウチは、一方向に長い矩形に形成され、長手方向の両端部がポケット用切込線４４に各々差し込まれて、保持される。ポケット用切込線４４は凸形に形成され、中心の直線の長さは、嚥下補助飲料５４の幅よりも少し長く形成され、ポケット用切込線４４の両端部は、折罫線４２から離れるように折り曲げられて形成されているため、差し込む際に大きく開くことができ、差し込みやすい。
【００２２】
覆い片３４を、嚥下補助飲料５４を取り付けた状態で、折罫線３０，３６で直角に正折りして、ＰＴＰシート４８を挟んで固定した第１側面１４と第２側面１６の、第１側面１４側に重ねる。そして覆い片３４の係止片３８を、第１側面１４の切断線２２に差し込み係止する。切断線２２には、両端部と中心の３箇所に、折罫線１８と反対側へ延出する短い切断線が連続して交差して設けられているため、係止片３８を差し込む際に第１側面１４が変形し、差し込みやすい。また、厚み形成片２８は、第２側面１６と覆い片３４に対して直角に位置し、第２側面１６と覆い片３４の間隔を、ＰＴＰシート４８の突出部５０ａの高さに保っている。また、嚥下補助飲料５４が第２側面１６と覆い片３４の間でつぶされることがない。これでＰＴＰシート４８の、台紙１２の取り付けが完了し、図２に示すように包装体１０により包装される。
【００２３】
包装体１０から錠剤４６を取り出す時は、係止片３８を切断線２２から引き抜いて係合を解除し、覆い片３４を第１側面１４と第２側面１６から開き、第１側面１４の透孔２０から突出するＰＴＰシート４８の突出部５０ａを押す。錠剤４６がＰＴＰシート４８の蓋材シート５２を破断し、錠剤４６がＰＴＰシート４８から出て、第２側面１６の透孔２６を通過して取り出される。取り出した錠剤４６を服用する時は、保持片４０から嚥下補助飲料５４を外し、嚥下補助飲料５４を収容しているパウチの任意の位置を切断して飲む。
【００２４】
この実施形態の包装体１０によれば、簡単な構造でコンパクトであり、錠剤４６と嚥下補助飲料５４を一体に包装することができる。包装体１０は薄形であり、厚み形成片２８を挟んで折り重ねられた第２側面１６と覆い片３４の間に、ＰＴＰシート４８と嚥下補助飲料５４を収容し、携帯に便利である。どのような場所でも、嚥下補助飲料５４を使用して錠剤４６を飲むことができ、外出先で飲料水等が無い場合に後回しにして飲み忘れることを防ぎ、決められた日時に服用が可能であり、錠剤４６を正しい用法で服用することができる。嚥下補助飲料５４を使用した後、新しい嚥下補助飲料５４をセットし、残りの錠剤４６を飲むときに使用することができ、錠剤４６がなくなるまで、使用することができる。また、錠剤４６を包装体１０で包装して嚥下補助飲料５４とともに販売することができ、花粉症等の症状を緊急に抑えるために錠剤４６を購入してすぐに服用することもできる。
【００２５】
なお、この発明の包装体は、上記実施形態に限定されるものではなく、保持片により収容する付属物は、嚥下補助飲料に限らず、薬剤情報提供文書、同時に飲む他の薬、メモ書き等でも良く、付属物の種類は問わない。収容する保持片台紙の形状や透孔の位置、組立工程、糊の塗付の位置など、適宜変更可能である。保持片は一対が設けられていなくてもよく、例えば１個が設けられ保持片の一部が覆い片に糊付けされてポケットを形成するものでもよい。ポケット用切込線の形状は適宜変更可能であり、直線や、長丸等自由に変更可能である。ＰＴＰシートを取り付ける方向は逆でもよく、第２側面の透孔に突出部が差し込まれて取り付けてもよい。
【００２６】
また、第１側面１４又は第２側面１６の裏面に糊や、ホットメルトその他ヒートシール剤を設け、ＰＴＰシート４８を第１側面１４の裏面に重ねて取り付けた後、第１側面１４と第２側面１６を貼り合わせても良く、第１側面１４と第２側面１６の貼り合わせは適宜の方法で行えば良い。
【符号の説明】
【００２７】
１０  包装体
１２  台紙
１４  第１側面
１６  第２側面
２０，２６  透孔
２８  厚み形成片
３０，３６，４２  折罫線
３４  覆い片
３８  係止片
４０  保持片
４４  ポケット用切込線
４８  ＰＴＰシート
５０ａ  突出部
５０ｂ  フランジ部
５０  プラスチック成形体
５２  蓋材シート
５４  嚥下補助飲料
【図１】
2018002172.tif 000003
【図２】
2018002172.tif 000004
【図３】
2018002172.tif 000005